(57)【要約】【課題】内線端末のＤＳＳキーに、他ノードに収容される内線端末の内線番号を登録すること。【解決手段】自ノードの内線に接続される内線端末のＤＳＳキーに登録された内線番号を含む設定情報を記憶すると共に、自ノードに収容する内線対応に状態情報を通知する必要がある他ノードの識別情報を記憶する記憶部と、内線端末のＤＳＳキーに登録する内線番号を含む設定情報を受信する設定情報受信部と、当該設定情報に含まれる内線番号を収容するノードを解析し、設定情報に含まれる内線番号が、他ノードの内線番号であると判定された場合には、当該他ノードに対して当該内線番号に係るＤＳＳキーの登録がされたことを通知して、当該他ノードの電話交換装置の記憶部への登録を促す。【選択図】    図１
2004274315.tif 000002
【特許請求の範囲】
【請求項１】
終端に内線端末を接続できる複数の内線を収容し、少なくとも１台の他ノードの電話交換装置と伝送線で接続されて電話通信に係る各種情報を送受信することができる電話交換装置であって、
自ノードの電話交換装置に収容する内線に接続される内線端末のＤＳＳ（Ｄｉｒｅｃｔ  Ｓｔａｔｉｏｎ  Ｓｅｌｅｃｔｉｏｎ）キーに登録された内線番号を含む設定情報を記憶すると共に、自ノードの電話交換装置に収容する内線対応に状態情報を通知する必要がある他ノードの電話交換装置の識別情報を記憶する記憶部と、
電話交換装置に接続された保守端末または内線端末から、内線端末のＤＳＳキーに登録する内線番号を含む設定情報を受信する設定情報受信部と、
前記設定情報受信部で受信した設定情報から、当該設定情報に含まれる内線番号を収容する電話交換装置を解析する設定情報解析部と、
前記設定情報解析部で解析した結果、設定情報に含まれる内線番号が、他ノードの電話交換装置に収容される内線番号であると判定された場合には、当該他ノードの電話交換装置に対して当該内線番号に係るＤＳＳキーの登録がされたことを通知して、当該他ノードの電話交換装置の記憶部への登録を促す設定登録要求部を具備することを特徴とする電話交換装置。
【請求項２】
自ノードの電話交換装置に収容する内線の状態を検出する内線状態検出部と、
前記内線状態検出部で内線の状態に変化があったことを検出した場合に、当該内線の状態情報を、記憶部に記憶された識別情報に係る他ノードの電話交換装置へ通知する内線状態送信部とを具備したことを特徴とする請求項１に記載の電話交換装置。
【請求項３】
終端に内線端末を接続できる複数の内線を収容し、少なくとも１台の他ノードの電話交換装置と伝送線で接続されて電話通信に係る各種情報を送受信することができる電話交換装置において、内線端末のＤＳＳキーの登録を行う方法であって、
電話交換装置に接続された保守端末または内線端末から、内線端末のＤＳＳキーに登録する内線番号を含む設定情報を受信するステップと、
前記設定情報に含まれる内線番号を収容する電話交換装置を解析するステップと、
解析した結果、設定情報に含まれる内線番号が、他ノードの電話交換装置に収容される内線番号であると判定された場合には、当該他ノードの電話交換装置に対して当該内線番号に係るＤＳＳキーの登録がされたことを通知して、当該他ノードの電話交換装置の記憶部への登録を促すステップとを具備したことを特徴とする電話交換装置のＤＳＳキー登録方法。
【発明の詳細な説明】
【０００１】
【発明の属する技術分野】
この発明は、ボタン電話装置、構内交換装置（ＰＢＸ）等のディジタル電話交換装置におけるＤＳＳ（Ｄｉｒｅｃｔ  Ｓｔａｔｉｏｎ  Ｓｅｌｅｃｔｉｏｎ）キー登録方式に関する。
【０００２】
【従来の技術】
ネットワークシステムは、例えば複数の支店や営業所を有する企業内において、各支店または営業所にそれぞれＰＢＸ（Ｐｒｉｖａｔｅ  Ｂｒａｎｃｈ  Ｅｘｃｈａｎｇｅ）またはボタン電話主装置といった電話交換装置を設置してこれらの電話交換装置間を専用線を介して接続したものである。この種のシステムでは、各電話交換装置ごとに内線間通信や公衆網等の局線発着信を行なえることは勿論のこと、異なる電話交換装置間での内線通信や異なる電話交換装置を経由した局線発着信を行なうことができる。
【０００３】
ところで、電話交換装置においては、収容されるＤＳＳコンソール等の内線端末上のＤＳＳキーに内線番号を登録することにより、登録した内線の空き／話中／着信中等の状態をＬＥＤの消灯／点灯／点滅等により表示することができる。また、内線端末上の消灯している（空き状態の）ＤＳＳキーを押下することにより、自動的に、ＤＳＳキーに登録されている内線に対して発信することができる（例えば特許文献１など）。
【０００４】
一方、電話交換装置同士は、ＱＳＩＧなどのデジタル専用線やＬＡＮ（ローカルエリアネットワーク）で接続することにより、ネットワークを構成することができる。ネットワークの１ノードとなる電話交換装置には識別情報としてノードＩＤが割り当てられるが、あるノードに収容される内線端末から、ノードＩＤと内線番号とから成るネットワークＤＮをダイヤルすることにより、他ノードに収容される内線端末に対して、デジタル専用線やＬＡＮを介して発信することができる。
【０００５】
【特許文献１】
特開平３−１４５２９８号公報。
【０００６】
【発明が解決しようとする課題】
しかしながら、内線端末上のＤＳＳキーには、自ノードに収容される内線端末の内線番号しか登録できず、他ノードに収容される内線端末の内線番号を登録できなかった。このため、設備投資をして複数の電話交換装置を接続してネットワークを構成しても、他ノードに収容されている内線端末にはＤＳＳキーを利用した発信等ができず利便性が悪かった。
そこで、本発明は、内線端末のＤＳＳキーに、他ノードに収容される内線番号を登録することができる利便性の良い電話交換装置およびそのＤＳＳキー登録方法を提供することを目的とする。
【０００７】
【課題を解決するための手段】
上記目的を達成するために、本発明の電話交換装置は、終端に内線端末を接続できる複数の内線を収容し、少なくとも１台の他ノードの電話交換装置と伝送線で接続されて電話通信に係る各種情報を送受信することができる電話交換装置であって、自ノードの電話交換装置に収容する内線に接続される内線端末のＤＳＳ（Ｄｉｒｅｃｔ  Ｓｔａｔｉｏｎ  Ｓｅｌｅｃｔｉｏｎ）キーに登録された内線番号を含む設定情報を記憶すると共に、自ノードの電話交換装置に収容する内線対応に状態情報を通知する必要がある他ノードの電話交換装置の識別情報を記憶する記憶部と、電話交換装置に接続された保守端末または内線端末から、内線端末のＤＳＳキーに登録する内線番号を含む設定情報を受信する設定情報受信部と、前記設定情報受信部で受信した設定情報から、当該設定情報に含まれる内線番号を収容する電話交換装置を解析する設定情報解析部と、前記設定情報解析部で解析した結果、設定情報に含まれる内線番号が、他ノードの電話交換装置に収容される内線番号であると判定された場合には、当該他ノードの電話交換装置に対して当該内線番号に係るＤＳＳキーの登録がされたことを通知して、当該他ノードの電話交換装置の記憶部への登録を促す設定登録要求部を具備する。
【０００８】
【発明の実施の形態】
以下、本発明の実施形態について図面を参照して詳細に説明する。
図１は、本発明の電話交換装置の実施形態に係わるネットワークシステムを示す概略構成図である。
このネットワークシステムは、３つのノード（Ｎ１０，Ｎ１１，Ｎ１２）で構成されている。これら各ノードである電話交換装置はＱＳＩＧなどのデジタル専用線１３とＬＡＮ（ローカルエリアネットワーク）１４を介して接続されており、他ノードの電話交換装置に収容される内線端末との間で通話等をするために音声信号あるいは制御信号を送受信できる。デジタル専用線１３でリアルタイム性が要求される音声信号を伝送し、ＬＡＮ１４で制御信号を伝送するのが好適である。
【０００９】
電話交換装置Ｎ１０には、収容する内線に複数の内線端末Ｔ１０（ネットワークＤＮ＝１０２００、１０２０１、・・・、１０２０ｎ）が接続され、また公衆網にも接続される。
電話交換装置Ｎ１１には、収容する内線に複数の内線端末Ｔ１１（ネットワークＤＮ＝１１２００、１１２０１、・・・、１１２０ｍ）が接続され、また公衆網にも接続される。
電話交換装置Ｎ１２には、収容する内線に内線端末Ｔ１２（ネットワークＤＮ＝１２２００）が接続される。
【００１０】
上記電話交換装置Ｎ１０の内部ブロック図を示したのが図２である。
内線インタフェースユニット２２は、内線端末Ｔ１０が接続された内線との音声信号や制御信号の伝送を行う。局線インタフェースユニット２１は、公衆網との音声信号や制御信号の伝送を行う。デジタル専用線インタフェースユニット２３はデジタル専用線１３を介して他ノードの電話交換装置Ｔ１１、Ｔ１２と音声信号の伝送を行う。制御信号はＬＡＮインタフェースユニット１４５で伝送される。図示しない保守端末もこのＬＡＮインタフェースユニット１４５を介して接続される。その他、音声バス２５や制御バス２６などを有する。
【００１１】
主制御部２４２は、電話交換装置Ｎ１０全体の動作制御を司っており、この発明に係るＤＳＳキー登録手法もここで制御される。図３は、この主制御部２４２のＤＳＳキー登録に関する機能ブロック図である。
記憶部２４３は、この発明に係るＤＳＳキーの設定情報などを記憶する。図３は、この記憶部２４３のＤＳＳキー登録に関する登録メモリを示したもので、ネットワークＤＮ対応キー登録メモリ４１とネットワークＤＮ対応ノードＩＤ登録メモリ４２を有する。更に、ネットワークＤＮ対応キー登録メモリ４１の具体例を示したのが図５、ネットワークＤＮ対応ノードＩＤ登録メモリ４２の具体例を示したのが図６である。
【００１２】
次に、内線端末Ｔ１２のＤＳＳキーに関連付けて内線番号を登録する動作を図８のフローチャートを参照しながら説明する。まず内線端末１２または図示しない保守端末の操作により、内線端末１２のＤＳＳキーと関連付けるネットワークＤＮ（例えば１０２００）を含む設定情報が設定情報受信部３１で受信されたとする。設定情報解析部３２は、ネットワークＤＮ（１０２００）からノードＩＤ（１０）を参照し、自ノードか他ノードかを判定する（Ｓ８１）。他ノード（１０）であると判定された場合（Ｓ８１でＹ）、当該ネットワークＤＮ（１０２００）を収容する電話交換装置（この例では電話交換装置１０）に対して「ＤＳＳ登録要求」を登録要求情報送信部３３から送信する（Ｓ８２）。この「ＤＳＳ登録要求」は、電話交換装置１０で受信される（Ｓ８３）。電話交換装置１０は、これを受けて図６に示すように、自ノードの内線番号（ネットワークＮＤ＝１０２００）に対応付けてノードＩＤ（１２）を記憶する（Ｓ８４）。
【００１３】
図９は、「ＤＳＳ登録要求」の内容を示しており、要求元ノードＩＤ（１２）、ＤＳＳキーと関連付けるネットワークＤＮ（１０２００）が含まれている。
次に、内線（例えばネットワークＩＤ＝１０２００）の状態が変化した場合に、他ノード（１２）の内線端末のＤＳＳキーの表示を更新する動作を図１０のフローチャートを参照しながら説明する。まず内線（１０２００）の状態が変化したとする（例えば空きから話中）（Ｓ１０１）。図６のネットワークＩＤ対応ノードＩＤ登録メモリを参照して、ＤＳＳキーに登録しているノードがあるかどうかを判定する（Ｓ１０２）。ＤＳＳキーに登録しているノード（１１，１２）があるので（Ｓ１０２でＹ）、この全ノードに対して内線の状態情報である「ＤＳＳ通知」を送信する（Ｓ１０３）。ノード（１１、１２）はこの「ＤＳＳ通知」を受信し（Ｓ１０４）、ネットワークＤＮ対応キー登録メモリ４１で内線番号（１０２００）をＤＳＳキーに設定している内線端末のキー番号を検索して、通知された状態に従ってＤＳＳキーのＬＥＤ１３２の表示を変更する。
【００１４】
図１１は、「ＤＳＳ通知」の内容を示しており、ノード１２に内線１０２００が話中である状態情報を通知している。
一方、ノード（１２）の内線端末のＤＳＳキーを押下した場合（Ｓ１２１）、ネットワークＤＮ対応ノードＩＤ登録メモリ４２を参照して他ノードの内線端末のＤＳＳキーに登録されていると判定されると（Ｓ１２２でＹ）、専用線１３を補足して当該他ノードと接続し（Ｓ１２３）、ＤＳＳキー登録している内線を呼び出す（Ｓ１２４）。
【００１５】
このように、他ノードの電話交換装置に収容される内線端末の内線番号についてＤＳＳキーを登録することができ、飛躍的に利便性が向上する。上述した手法によりＤＳＳキーの登録内容は内線端末や保守端末によって適宜変更することができるので、単に特定のノードのＤＳＳコンソールに内線状態を表示するものとは異なる。
その他、システム構成や、主装置の種類やその構成、ボイスメール装置の種類や構成、内線端末の種類、ボイスメール制御信号の送受信手順、各制御の制御手順とその内容等についてもこの発明の要旨を逸脱しない範囲で種々変形して実施できる。
【００１６】
【発明の効果】
以上詳述したようにこの発明によれば、内線端末のＤＳＳキーに、他ノードに収容される内線端末の内線番号を登録することができる電話交換装置を提供することができる。
【図面の簡単な説明】
【図１】本発明の実施形態に係わるネットワークシステムを示す概略構成図。
【図２】図１の電話交換装置の具体的構成を示すブロック図。
【図３】図１の主制御部の機能構成を示すブロック図。
【図４】図１の記憶部の記憶内容の一例を示す図。
【図５】図５のネットワークＤＮ対応キー登録メモリ。
【図６】図５のネットワークＤＮ対応ノードＩＤメモリ。
【図７】ＤＳＳキー設定例。
【図８】ＤＳＳキー登録時のフローチャート。
【図９】「ＤＳＳ登録要求」の例
【図１０】内線の状態変化時のフローチャート。
【図１１】「ＤＳＳ通知」の例
【図１２】ＤＳＳキー押下時のフローチャート。
【図１３】内線端末の実施形態の外観図。
【符号の説明】
Ｎ１０、Ｎ１１、Ｎ１２    電話交換装置
Ｔ１０、Ｔ１１、Ｔ１２    内線端末
１３    デジタル専用線
１４    ＬＡＮ
【図１】
2004274315.tif 000003
【図２】
2004274315.tif 000004
【図３】
2004274315.tif 000005
【図４】
2004274315.tif 000006
【図５】
2004274315.tif 000007
【図６】
2004274315.tif 000008
【図７】
2004274315.tif 000009
【図８】
2004274315.tif 000010
【図９】
2004274315.tif 000011
【図１０】
2004274315.tif 000012
【図１１】
2004274315.tif 000013
【図１２】
2004274315.tif 000014
【図１３】
2004274315.tif 000015